(57)【要約】【課題】  給紙装置において、一つの検知センサを用いて精度よく給紙カセットの装着及び用紙の有無を検知する。【解決手段】  給紙装置１０は用紙に画像形成を行う画像形成部を有する画像形成装置とともに用いられ、画像形成部に用紙を給紙する。給紙装置は、用紙が積載され、給紙装置本体１２に対してスライドさせて給紙装置本体に着脱可能な給紙カセット１３と、給紙装置本体に備えられ給紙カセットに積載された用紙を画像形成部側に送出する給紙ローラ１５と、用紙の給紙方向上流側に配設された検知センサ２１と、給紙ローラの回転軸に同軸に遊嵌され用紙の給紙方向上流側に延び給紙カセットの給紙装置本体への着脱に応じて検知センサに対して相対的に回動するドグ２２と、記録用紙の有無に応じてドグを検知センサに対して相対的に回動させる穴部２５とを有し、ドグの回動に応じて検知センサでドグを検知して給紙カセットの給紙装置本体への着脱及び用紙の有無を検知する。【選択図】  図３
2006282311.tif 000002
【特許請求の範囲】
【請求項１】
記録用紙に画像形成を行う画像形成部を有する画像形成装置とともに用いられ、前記画像形成部に前記記録用紙を給紙する給紙装置において、
前記記録用紙が積載され、給紙装置本体に対してスライドさせて前記給紙装置本体に着脱可能な給紙カセットと、
前記給紙装置本体に備えられ、前記給紙カセットに積載された用紙を前記画像形成部側に送出する給紙ローラと、
前記給紙カセットの上方、かつ給紙ローラよりも給紙方向上流側に配設された検知センサと、
前記給紙ローラの回転軸に同軸に遊嵌され、前記給紙カセットの前記給紙装置本体への着脱に応じて前記検知センサに対して相対的に回動する検知レバー体と、
前記記録用紙の有無に応じて前記検知レバー体を前記検知センサに対して相対的に回動させる検知レバー体規制部とを有し、
前記検知レバー体の回動に応じて前記検知センサで前記検知レバー体を検知して前記給紙カセットの前記給紙装置本体への着脱及び前記記録用紙の有無を検知するようにしたことを特徴とする給紙装置。
【請求項２】
前記検知レバー体は、前記給紙方向上流側に延びるアーム部と、
前記給紙方向に交差する方向で下向きに延びる突出部とを備え、
前記検知レバー体規制部は前記突出部に対向して前記給紙カセットの底面に形成された穴部であり、
前記給紙カセットに用紙がない状態となると前記突出部が前記穴部に落ち込んで前記検知レバー体が回動し前記アーム部を前記検知センサが検知するようにしたことを特徴とする請求項１記載の給紙装置。
【請求項３】
前記穴部は前記給紙方向に延在し、
前記突出部の前記給紙方向側の面はテーパー状に傾斜した面であることを特徴とする請求項２に記載の給紙装置。
【請求項４】
前記給紙カセットが前記給紙装置本体に装着された際、前記給紙カセットの上側に位置し少なくとも電源を中継する基板部を有し、
前記基板部の前記給紙方向下流端面部に前記検知センサが搭載されていることを特徴とする請求項１乃至３いずれか１項記載の給紙装置。
【請求項５】
前記検知レバー体の前記回転軸方向への移動を規制する移動規制部材を有することを特徴とする請求項１乃至４いずれか１項記載の給紙装置。
【発明の詳細な説明】
【技術分野】
【０００１】
本発明は、複写機、プリンター、又はファクシミリ装置等の電子写真プロセスを用いた画像形成装置に関し、特に、画像形成装置に用いられる給紙装置に関するものである。
【背景技術】
【０００２】
一般に、複写機、プリンター、又はファクシミリ装置等の画像形成装置には、記録用紙（以下単に用紙と呼ぶ）を画像形成部に給紙するための給紙装置が備えられている。そして、給紙装置には用紙が積載された給紙カセットが備えられ、用紙を補給する際には、給紙カセットを給紙装置本体から引き出して用紙を補給した後、給紙カセットを給紙装置本体に収納している。
【０００３】
画像形成装置において画像形成（印字）を行う際には、給紙カセットを給紙装置本体に正しく装着するとともに給紙カセットに用紙が収納されている必要がある。このため、給紙カセットの装着及び給紙カセット内の用紙の有無を検知するため、給紙装置にはカセット装着検知用センサと用紙有無検知センサとが備えられ、これらカセット装着検知用センサ及び用紙有無検知センサによってそれぞれカセット装着及び用紙有無を検知するようにしている。
【０００４】
ところが、上述のように二つのセンサを備えるとなると、センサ設置スペースが余分に必要となるばかりでなく、コストアップの要因となってしまう。このような課題を解決するため、例えば、給紙カセットを画像形成装置本体に装着すると、装着検知センサによって給紙カセットの装着が検知され、給紙が開始されると、マグネットが用紙上面に当接して、給紙装置によって給紙カセット内の用紙が順次給紙される。そして、給紙カセット内の用紙が無くなると、マグネットがリードスイッチを接点開として、装着検知センサが未装着検知状態に切換えられて、これによって給紙カセット内に用紙が無いと判定するようにしたものがある（特許文献１参照）。
【０００５】
【特許文献１】特開平６−２４７５８８号公報
【発明の開示】
【発明が解決しようとする課題】
【０００６】
ところで、特許文献１に記載された給紙装置においては、一つの検知センサを用いて、カセットの装着検知及び用紙有無の検知を行っているものの、装着検知センサで給紙カセットの装着が検知された後、マグネット及びリードスイッチ等の切り替え手段によって装着検知センサが未装着検知状態に切換えられると、用紙が無くなったと判定するようにしており、切り替え手段等の機構が別に必要となって構造が複雑になってしまうという課題がある。
【０００７】
さらに、特許文献１に記載された給紙装置においては、マグネット及びリードスイッチ等の切り替え手段によって装着検知センサの状態を切り換えて、カセット装着及び用紙有無の両方を装置検知センサで検知しているが、給紙カセットが装着された後においては、マグネット及びリードスイッチ等の切り換え手段と装着検知センサとが一体的に用紙有無検知センサとして機能していることになる。つまり、カセット用装着については装着検知センサでのみ検知を行い、用紙の有無については、マグネット及びリードスイッチ等の切り換え手段と装着検知センサとを用紙有無検知センサとして用いていることになり、単純に一つの検知センサでカセット装着及び用紙有無を検知していない。
【０００８】
いづれにしても、特許文献１に記載された給紙装置では、装着検知センサのみを用いているものの、カセット装着検知及び用紙有無検知の機構が複雑となってしまうという課題がある。
【０００９】
従って、本発明はかかる従来技術の問題に鑑み、一つの検知センサを用いて精度よく給紙カセットの装着及び用紙の有無を検知することができる給紙装置を提供することを目的とする。
【課題を解決するための手段】
【００１０】
そこで、本発明はかかる課題を解決するために、記録用紙に画像形成を行う画像形成部を有する画像形成装置とともに用いられ、前記画像形成部に前記記録用紙を給紙する給紙装置において、前記記録用紙が積載され、給紙装置本体に対してスライドさせて前記給紙装置本体に着脱可能な給紙カセットと、前記給紙装置本体に備えられ前記給紙カセットに積載された用紙を前記画像形成部側に送出する給紙ローラと、前記給紙カセットの上方、かつ給紙ローラよりも給紙方向上流側に配設された検知センサと、前記給紙ローラの回転軸に同軸に遊嵌され前記給紙カセットの前記給紙装置本体への着脱に応じて前記検知センサに対して相対的に回動する検知レバー体と、前記記録用紙の有無に応じて前記検知レバー体を前記検知センサに対して相対的に回動させる検知レバー体規制部とを有し、前記検知レバー体の回動に応じて前記検知センサで前記検知レバー体を検知して前記給紙カセットの前記給紙装置本体への着脱及び前記記録用紙の有無を検知するようにしたことを特徴とするものである。
【００１１】
本発明では、前記検知レバー体は、前記給紙方向上流側に延びるアーム部と、前記給紙方向に交差する方向で下向きに延びる突出部とを備え、前記検知レバー体規制部は前記突出部に対向して前記給紙カセットの底面に形成された穴部であって、前記給紙カセットに用紙がない状態となると前記突出部が前記穴部に落ち込んで前記検知レバー体が回動し前記アーム部を前記検知センサが検知する。
【００１２】
本発明では、例えば、前記穴部は前記給紙方向に延在し、前記突出部の前記給紙方向側の面はテーパー状に傾斜した面である。また、前記給紙カセットが前記給紙装置本体に装着された際、前記給紙カセットの上側に位置し少なくとも電源を中継する基板部を有し、前記基板部の前記給紙方向下流端面部に前記検知センサを搭載するようにしてもよい。
【００１３】
さらに、本発明では、前記検知レバー体の前記回転軸方向への移動を規制する移動規制部材を有することが望ましい。
【発明の効果】
【００１４】
以上のように、本発明の給紙装置は、給紙ローラの回転軸に同軸に、記録用紙の給紙方向上流側に延びる検知レバー体を遊嵌して、検知レバー体が給紙カセットの給紙装置本体への着脱に応じて検知センサに対して相対的に回動し、さらに記録用紙の有無に応じて検知レバー体を検知センサに対して相対的に回動させる検知レバー体規制部を備えるようにしたので、検知レバー体の回動に応じて検知センサで検知レバー体を検知して給紙カセットの給紙装置本体への着脱及び記録用紙の有無を検知することができ、その結果、一つの検知センサで精度よく給紙カセットの装着及び記録用紙の有無を検知することができるという効果がある。
【００１５】
本発明では、検知レバー体が、給紙方向上流側に延びるアーム部と、給紙方向に交差する方向で下向きに延びる突出部とを備えて、検知レバー体規制部を、突出部に対向して給紙カセットの底面に形成された穴部として、給紙カセットに記録用紙がない状態となると突出部が前記穴部に落ち込んで検知レバー体が回動しアーム部を検知センサが検知するようにしたので、記録用紙の有無を的確に検出できるという効果がある。
【００１６】
本発明では、穴部を給紙方向に延在させ、突出部の給紙方向側の面をテーパー状に傾斜した面としたので、給紙カセット引き出しの際の際突出部がスムーズに穴部から抜け出ることができ、さらに記録用紙を補給して給紙カセットを装着する際には、テーパー面が記録用紙表面に当接するから、スムーズに給紙カセットの装着を行えるという効果がある。
【００１７】
本発明では、給紙カセットの上側に位置する基板部の給紙方向下流端面部に検知センサを搭載するようにしたので、新たに検知センサを取り付ける場所を確保する必要がなく、その結果、コストアップを避けることができるという効果がある。
【００１８】
さらに、本発明では、検知レバー体の回転軸方向への移動を規制する移動規制部材を有しているので、回転軸に遊嵌された検知レバー体が軸方向に移動してしまうことがなくなって、検知センサで検知レバー体の検知が行えなくなるという事態を回避することができる。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２０】
まず、図１を参照して、図１は本発明の実施例１による給紙装置を画像形成装置とともに破断して側方から示す図であり、図示の給紙装置１０は、例えば、複写機等の画像形成装置本体（以下単に装置本体と呼ぶ）１１に備えられ、給紙装置１０から感光体ドラム（図示せず）を備える画像形成部（図示せず）に用紙が給紙される。図示はしないが、画像形成部においては、感光体ドラムが帯電器によって均一に露光され、その後、画像データに応じて露光ユニットによって感光体ドラムが露光されて、感光体ドラム上に静電潜像が形成される。感光体ドラム上の静電潜像は現像器によって現像されてトナー像とされる。そして、転写位置で転写ローラによって感光体ドラム上のトナー像が用紙に転写された後、用紙は定着装置に送られ、ここで定着されて、排紙トレイに排紙される。一方、転写後、感光体ドラム上に残留する残留トナーはクリーニングユニットによってクリーニングされ、感光体ドラムは除電器によって除電されて、一回の画像形成プロセスが終了する。
【００２１】
給紙装置１０は給紙装置本体１２と給紙装置本体１２に装着された給紙カセット１３とを有し、給紙カセット１３は図中実線矢印で示す方向に引き出し可能となっている。つまり、給紙装置１０に用紙を補給する際には、前カバー部１３ａを把持して給紙カセット１３を給紙装置本体１２から引き出した後、給紙カセット１３に用紙を補給して、給紙カセット１３を給紙装置本体１２に挿入（装着）する。
【００２２】
給紙カセット１３には、底板１６が備えられ、底板１６上に用紙がセットされる。この底板１６は用紙の量（枚数）に応じて給紙方向（破線矢印で示す方向）端が上昇して、用紙先端が、給紙装置本体１２に取り付けられた給紙ローラ１５に当接し、給紙ローラ１５の回転駆動によって用紙が用紙搬送路（図示せず）に送出されて、画像形成部に至る。
【００２３】
図２を参照して、図２は給紙カセットを示す斜視図であり、給紙カセット１３は、前述のように用紙載置板（ベースカセット）１４を備え、この用紙載置板１４上に底板（ボトムカセット）１６が配設されている。用紙載置板１４には一対の幅合わせカーソル部１７が配設され、これら幅合わせカーソル部１７は給紙方向（図２に破線矢印で示す方向）に交差する方向に移動可能になっており、用紙サイズに応じて幅合わせカーソル部を交差方向に移動させて、底板１６上に用紙が積載される。図示のように、底板１６の給紙方向両側辺部にはそれぞれ支点部１８が形成され、これら支点部１８は、図示しない付勢部材（バネ等）によって、図１において上方（給紙ローラ１５）に付勢され、支点部１８を回動支点として図１において反時計回りに回動する。
【００２４】
この結果、底板１６に載置された用紙の先端が給紙ローラ１５に当接するまで、底板１６は反時計回りに回動することになって、用紙先端は常に給紙ローラ１５に当接していることになる。また、給紙カセット１３には用紙搬送方向に交差する方向（スラスト方向）に突出するロック片（ロックボトム）１９が配設されており、これらロック片１９は図示しない付勢部材（バネ等）によってスラスト方向に付勢されている。そして、給紙カセット１３を給紙装置本体１２に装着した際には、ロック片１９が給紙装置本体１２に形成された係止部（図示せず）に係止されて、給紙カセット１３が給紙装置本体１２に装着される。
【００２５】
再び、図１を参照して、図示のように給紙カセット１３の上側には基板部２０が位置づけられ、この基板部２０には高圧電源等が配置され、転写ローラ（図示せず）に転写電圧等を供給する。また、基板部２０には画像形成装置自体を制御する制御装置（コントローラ）等を配置するようにしてもよい。つまり、基板部２０には各種電装部品が実装されている。そして、図示の例では、基板部２０の給紙方向下流側端部には検知センサ２１が配置されている。一方、後述するように、給紙ローラ１５の回転軸体（図１には示さず）には、検知レバー体（以下ドグと呼ぶ）２２が遊嵌されており、ドグ２２を検知センサ２１で検知することによって、給紙カセット１３の装着及び用紙の有無が検知される。
【００２６】
図３を参照して、図３は給紙カセット１３を給紙装置本体１２に装着した状態を示す図であり、図示の例では、給紙カセット１３に用紙がセットされていない状態が示されている。図示のように、給紙装置本体１２にはスラスト方向に伸びる回転軸体２３が回転可能に支持され、この回転軸体２３には給紙ローラ１５が嵌合されている。従って、回転軸体２３の回転によって給紙ローラ１５が、図３に実線矢印で示す方向に回転されて、給紙ローラ１５によって用紙が用紙搬送路に送り出される。
【００２７】
回転軸体２３には、前述のように、ドグ２２が遊嵌されている。具体的には、ドグ２２は磨耗に強い樹脂（ＰＣ）で成形され、ドグ２２の一端側が回転軸体２３に遊嵌されている。つまり、ドグ２２の一端側は滑り軸受け２４として機能する。従って、回転軸体２３の回転に伴ってドグ２２が回転することはない。ドグ２２は本体部２２ａと、この本体部２２ａに対して給紙方向逆方向に延在するアーム部２２ｂとを有しており、本体部２２ａとアーム部２２ｂとは一体に成形されている。
【００２８】
また、本体部２２ａは下方に突出する突出部２２ｃが形成されており、この突出部２２ｃの前後辺面（給紙方向側の面）は傾斜している（つまり、給紙方向下流側及び給紙方向上流側に延びるように傾斜するテーパー状面となっている）。さらに、本体部２２ａのスラスト方向両面にはそれぞれ円弧状のリブ部２２ｄが形成され（図３では一方のリブ部２２ｄのみが示されている）、これらリブ部２２ｄによって、後述するスラスト方向規制部材との接触抵抗を低減するようにして、ドグ２２が回転軸体２３を中心軸としてスムーズに回動するようにしている。
【００２９】
図示のように、底板１６には給紙方向に延びる穴部（検知レーバー体規制部）２５が形成されており、アーム部２２ｂが検知センサ２１で検知された際には、突出部２２ｃの先端部は穴部２５に挿入された状態となる。検知センサ２１は、例えば、発光部２１ａと受光部２１ｂとを有しており、アーム部２２ｂが発光部２１ａと受光部２１ｂとの間に挿入されると、後述するようにして、給紙カセット非装着又は用紙無しが検知される。
【００３０】
前述のように、ドグ２２は回転軸体２３に遊嵌されているので、つまり、ドグ２２は滑り軸受けによって回転軸体２３に取り付けられているので、ドグ２２は回転軸体２３に沿って移動してしまうことがある（即ち、ドグ２２はスラスト方向に移動しやすい）。そして、ドグ２２がスラスト方向に移動すると、検知センサ２１とアーム部２２ｂとの相対的位置関係がずれて、検知センサ２１によってドグ２２のアーム部２２ｂが検知できないという事態が発生する。
【００３１】
このような事態を防止するため、図４及び図５に示すように（図４及び図５においては、検知センサ２１は省略されている）、給紙装置本体にスラスト方向規制部材２６ａ及び２６ｂを設けて（図４にはスラスト方向規制部材２６ａのみが示され、図５にはスラスト方向規制部材２６ｂのみが示されている）、これらスラスト方向規制部材２６ａ及び２６ｂによってドグ２２のスラスト方向への移動を規制して、ドグ２２のアーム部２２ｂと検知センサ２１との相対的位置ずれを防止するようにしている。つまり、スラスト方向規制部材２６ａ及び２６ｂをそれぞれドグ２２のスラスト方向両面側に配設して、これらスラスト方向規制部材２６ａ及び２６ｂによってドグ２２のスラスト方向への移動を規制するようにしている。スラスト方向規制部材２６ａ及び２６ｂはドグ２２のスラスト方向への移動を規制しているため、ドグに接触することもあるが、ドグ２２（つまり、本体部２２ａ）の両面には円弧状のリブ部２２ｄが形成されているので、これらリブ部２２ｄがスラスト方向規制部材２６ａ及び２６ｂに接触することになり、ドグ２２とスラスト方向規制部材２６ａ及び２６ｂとの接触を低減させることができる。従って、ドグ２２の回動に支障が生じることはない。
【００３２】
続いて、図３と図６乃至図８とを参照して、本発明の実施例１による給紙装置における給紙カセット装着検知及び用紙有無検知について説明する。図６は給紙カセット１３を給紙装置本体１２から引き出しつつある状態を示す断面図であり、給紙装置本体１２から給紙カセット１３を引き出すと、給紙カセット１３内の用紙の有無に拘らず、突出部２２ｃの規制が解かれることになって、回転軸体２３を中心軸としてドグ２２は反時計方向に回動することになる。この結果、ドグ２２のアーム部２２ｂが発光部２１ａと受光部２１ｂとの間に挿入され、発光部２１ａからの光が遮光されることになって、検知センサ２１はオフ状態となる。
【００３３】
そして、検知センサ２１がオフ状態となると、制御装置（図示せず）は、例えば、操作パネル（図示せず）に備えられたな給紙カセット装着・用紙有無ランプ（図示せず）を点灯させる。ユーザは給紙カセット１３が引き出された状態で給紙カセット装着・用紙有無ランプが点灯すると、給紙カセット１３が給紙装置本体１２に未装着であると知ることができる。
【００３４】
ユーザは給紙カセット１３に用紙を補給した後、給紙装置本体１２に給紙カセット１３を装着することになる。図７は給紙カセット１３を給紙装置本体１２に装着した状態を示す断面図であり（図７においては、用紙は省略されている）、用紙が補給された状態では、穴部２５は用紙に覆われているから、給紙カセット１３を給紙装置本体１２に装着すると、ドグ２２の突出部２２ｃが用紙によって持ち上げられて、ドグ２２は回転軸体２３回りに時計回りに回動し、アーム部２２ｂが検知センサ２１から離脱する。この結果、発光部２２ａからの光が受光部２２ｂに到達して、検知センサ２２はオン状態となる。
【００３５】
そして、検知センサ２１がオン状態となると、制御装置は、給紙カセット装着・用紙有無ランプを消灯させる。ユーザは、給紙カセット１３に用紙を補給した後給紙カセット１３を給紙装置本体２２に装着した際、給紙カセット装着・用紙有無ランプが消灯すると、給紙カセット１３が給紙装置本体１２に正常に装着されたと知ることができる。
【００３６】
図８は給紙カセット１３の用紙がなくなった状態を示す断面図であり、画像形成装置によって印字を行って、給紙カセット１３内の用紙がなくなると、底板１６に形成された穴部２５が露出し、ドグ２２の突出部２２ｃが穴部２５に落ち込むことになる。突出部２２ｃが穴部２５に落ち込むと、ドグ２２が回転軸体２３回りに反時計回りに回動して、アーム部２２ｂが発光部２１ａと受光部２１ｂとの間に挿入され、発光部２１ａからの光が遮光され、検知センサ２１はオフ状態となる。
【００３７】
そして、検知センサ２１がオフ状態となると、制御装置は、給紙カセット装着・用紙有無ランプを点灯させる。ユーザは給紙カセット１３が給紙装置本体１２に装着された状態で給紙カセット装着・用紙有無ランプが点灯すると、給紙カセット１３内の用紙がなくなったことを知ることができる。
【００３８】
このようにして、給紙カセット１３の装着及び給紙カセット１３の用紙有無に応じて給紙ローラ１５の回転軸体２３に遊嵌されたドグ２２を回転軸体２３回りに回動させて、基板検知部２０に配設された検知センサ２１でドグ２２を検知するようしたから、一つの検知センサ２１のみで給紙カセット１３の装着及び用紙の有無を検知することができ、さらには、給紙ローラ１５の回転軸体２３にドグ２２を遊嵌するようにしたから、給紙動作中に用紙がなくなると直ちにドグ２２が回動するから、精度よくしかも速く用紙無を検知することができる。また、ドグ２２を回転可能に支持するための機構を別に設ける必要がなく、構成が簡単になるばかりでなく、コストを低減することができるという効果がある。
【００３９】
加えて、用紙がなくなると、ドグ２２の突出部２２ｃが穴部２５に落ち込むことになるが、上述の実施例では、突出部２２ｃの前後辺面がテーパー状面となっているから、給紙カセット１３を給紙装置本体１２から引き出す際に、突出部２２ｃが穴部２５内で引っ掛かってしまうことがなく、また、用紙を補給した後、給紙カセット１３を給紙装置本体１２に装着する際においては、テーパー状面が用紙表面に当接しつつ、ドグ２２が時計回りに回動するから、スムーズに給紙カセット１３の装着を行うことができる。
【００４０】
なお、上述の実施例では、検知センサとして光学センサを用いたが、検知センサとしては、光学センサに限らず、例えば、ドグ２２のアーム部２２ｂが接触した際にオンするスイッチ等を用いるようにしてもよい。
【産業上の利用可能性】
【００４１】
給紙ローラの回転軸に同軸に、記録用紙の給紙方向上流側に延びるドグを遊嵌して、ドグが給紙カセットの給紙装置本体への着脱に応じて検知センサに対して相対的に回動し、さらに記録用紙の有無に応じてドグを検知センサに対して相対的に回動させる穴部を備えるようにしたから、ドグの回動に応じて検知センサでドグを検知して給紙カセットの給紙装置本体への着脱及び記録用紙の有無を検知することができる結果、給紙装置における給紙カセットの装着及び記録用紙の有無の検知に適用できる。
【図面の簡単な説明】
【００４２】
【図１】図１は本発明の実施例１による給紙装置を破断して側方から示す図である。
【図２】図１に示す給紙装置で用いられる給紙カセットの一例を示す斜視図である。
【図３】図２に示す給紙カセットを給紙装置本体に装着した状態を拡大して示す図である。
【図４】図３に示す検知レバー体（ドグ）のスラスト方向への移動規制を説明するための図である。
【図５】図３に示す検知レバー体（ドグ）のスラスト方向への移動規制を説明するための図である。
【図６】給紙カセットを給紙装置本体から引き出しつつある状態を示す断面図である。
【図７】給紙カセットを給紙装置本体に装着した状態を示す断面図である。
【図８】給紙カセットの用紙がなくなった状態を示す断面図である。
【符号の説明】
【００４３】
１０  給紙装置
１１  画像形成装置本体
１２  給紙装置本体
１３  給紙カセット
１４  用紙載置板（ベースカセット）
１５  給紙ローラ
１６  底板
１７  カーソル部
１８  支点部
１９  ロック片（ロックボトム）
２０  基板部
２１  検知センサ
２２  検知レバー体（ドグ）
２３  回転軸体
２４  滑り軸受け
２５  穴部
２６ａ，２６ｂ  スラスト方向規制部材
【図１】
2006282311.tif 000003
【図２】
2006282311.tif 000004
【図３】
2006282311.tif 000005
【図４】
2006282311.tif 000006
【図５】
2006282311.tif 000007
【図６】
2006282311.tif 000008
【図７】
2006282311.tif 000009
【図８】
2006282311.tif 000010